(57)【要約】      （修正有）【課題】風呂敷等のシートをバッグ状の姿態で支持し、製造に手間がかからず、収納時に嵩張ることのない取っ手を提供する。【解決手段】取っ手は、風呂敷Ｓの対向二辺が重なるよう中央で二つ折りにし、その端部ａ，ｂを係止部２０５に固定する。この固定は、対向する隅部ａ、ｂを係止部２０５のそれぞれの穴２０２，２０３に裏面から通し、表に出す第一工程と、隅部ａ，ｂをもう一つの穴２０３，２０２に互いに交差するように表面から通し、裏面に出す第二工程から成る。係る係止は、もう一方の係止部２０５においても同様に行う。これにより、風呂敷Ｓが二つ折りの状態で取っ手に装着され、風呂敷Ｓが袋状のバッグの姿態で保持され、内部に所望の物品を収納可能となる。係止部を構成する穴の組は、幅方向に近接して設けた少なくとも２つの穴からなると共に、当該穴は、前記本体の長手方向に長く且つ略平行に設けた長穴であって端部側が細く絞られた形状である。【選択図】図６
2020146498.tif 000002
【特許請求の範囲】
【請求項１】
シート体の少なくとも二箇所を係止して当該シート体をバッグ状の姿態に保持する取っ手において、
革製または樹脂製の薄厚のバンド形状である本体と、
当該本体自体の両端にそれぞれ設けられた複数の穴の組から構成される、シート体を係止する係止部と、を備え、
前記係止部を構成する穴の組は、幅方向に近接して設けた少なくとも２つの穴からなると共に、当該穴は、前記本体の長手方向に長く且つ略平行に設けた長穴であって端部側が細く絞られた形状である、シート体を係止するための取っ手。
【発明の詳細な説明】
【技術分野】
【０００１】
本発明は、風呂敷等のシートをバッグ状の姿態で支持する取っ手に関するものである。
【背景技術】
【０００２】
従来から、特許文献１に記載されている取っ手が知られている。この取っ手は、革製のバンドの両端のぞれぞれに金属製のリングを２つ設け、この２つのリングに対し、風呂敷の端部を通し、当該端部を一つのリングの外側で折返し、他のリングの内側を通し、風呂敷の端部を固定する。この作業をバンドの両端で行うことで、風呂敷をバッグ状に形成する。風呂敷を取り付けていない状態では、取っ手は略平面的な姿態となり、この状態で風呂敷と共に鞄等に収納する。
【先行技術文献】
【特許文献】
【０００３】
【特許文献１】特開２００８−１１０１９６号公報
【発明の概要】
【発明が解決しようとする課題】
【０００４】
しかしながら、従来の取っ手では、金属製のリングを革製のバンドの両端に取り付ける必要があるため、製造に手間がかかるという問題点があった。また、２つのリングを両端に設けているため、収納時に重く、嵩張るという問題点があった。本発明は、係る問題点を解決するためになされたものである。
【課題を解決するための手段】
【０００５】
上記の問題点を解決するために、本発明の取っ手は、シート体の少なくとも二箇所を係止して当該シート体をバッグ状の姿態に保持する取っ手において、薄厚のバンド形状である本体と、当該本体の両端にそれぞれ設けられた複数の穴の組から構成される、シート体を係止する係止部とを備えたことを特徴とする。
【０００６】
前記係止部を構成する穴の組は、長手方向に近接して設けた少なくとも２つの穴から構成するのが好ましい。
【０００７】
また、前記係止部を構成する穴の組は、幅方向に近接して設けた少なくとも２つの穴から構成するのが好ましい。
【図面の簡単な説明】
【０００８】
【図１】本発明の実施の形態１に係る取っ手を示す説明図である。
【図２】この取っ手の使用方法を示す説明図である。
【図３】風呂敷を取っ手に装着した状態を示す説明図である。
【図４】本発明に係る取っ手の実施例を示す説明図である。
【図５】本発明の実施の形態２に係る取っ手を示す説明図である。
【図６】この取っ手の使用方法を示す説明図である。
【図７】風呂敷を取っ手に装着した状態を示す説明図である。
【図８】本発明に係る取っ手の実施例を示す説明図である。
【図９】本発明の実施の形態３に係る取っ手を示す説明図である。
【図１０】この取っ手の使用方法を示す説明図である。
【図１１】この取っ手の使用方法を示す説明図である。
【図１２】風呂敷を取っ手に装着した状態を示す説明図である。
【図１３】本発明に係る取っ手の実施例を示す説明図である。
【発明を実施するための形態】
【０００９】
（実施の形態１）
図1は、本発明の実施の形態１に係る取っ手を示す説明図であり、（ａ）は平面図、（ｂ）は側面図、（ｃ）は上面図、（ｄ）はＡ−Ａ断面図、（ｅ）はＢ−Ｂ断面図、（ｆ）はＣ−Ｃ断面図である。この取っ手１００は、風呂敷等のシート体をバッグ状の姿態に保持するものであって、革製または樹脂製の薄厚バンド形状又は薄板短冊形状の本体１の両端に、それぞれ２つの穴２，３を長手方向に設けた構成である。本体１の中央付近は、ユーザが手に持つ把持部４となる。前記両端にそれぞれ設けられた２つの穴２，３の組が係止部５となる。本体１の長さは、手提げ鞄のように用いる場合は、比較的短く１５ｃｍ〜３０ｃｍ、ショルダーバッグのように用いる場合は、３０ｃｍ〜９０ｃｍの範囲で設定する。
【００１０】
本体１の幅は、２ｃｍ〜５ｃｍの範囲で設定する。なお、同図では、本体１の長手方向で幅が均一であるが、係止部５の幅を把持部４の幅と異なるものとしても良い。例えば、把持部４の幅を係止部５の幅より小さくする。これにより、折り曲げやすく且つ係止部５にシート体を取り付けやすくなる。本体１の厚さは、取っ手１００の用途により設定する。手提げ鞄のように用いる場合、比較的厚くして強度を確保する。ショルダーバッグのように用いる場合は、比較的柔らかい素材を用いたり或いは薄くして柔軟性を確保する。
【００１１】
本体１の両端に設けた前記一組の穴２，３は、風呂敷の端部を通すのに適したものとするため、最端側が大きくなる。穴２，３の形状は、円形としたがこれに限定されない。例えば、三角形、四角形、その他の多角形であっても良い。更に、ハート形等のデザイン性の高い穴としても良い。穴２と穴３との間隔は、シート体にかかる荷重を受ける強度を確保でき、シート体の端部を通す操作を行いやすく且つシート体端部を固定しやすい所定の間隔とする。
【００１２】
次に、この取っ手１００の使用方法を説明する。図２は、この取っ手の使用方法を示す説明図である。図３は、風呂敷を取っ手に装着した状態を示す説明図である。なお、図２では、取り付け方の手順を説明するため、ひも状のものを示す。シート体には風呂敷を用いる。図２(ａ)に示すように、四角形の風呂敷Ｓの対向する二辺が重なるように、その中央で二つ折りにし、その状態で風呂敷Ｓの二箇所の端部ａ，ｂを係止部５に固定する。前記係止部５への固定は、図２（ｂ）に示すように、係止部５の裏面から前記端部側の穴３に風呂敷Ｓの端部ａ，ｂを通す第一工程と、当該端部ａ，ｂを係止部５の表面から中央よりの穴２に通す第二工程と、当該中央よりの穴２で前記風呂敷Ｓの端部ａ，ｂを折り返し
て再び端部側の穴３に裏面から前記通した風呂敷Ｓの端部ａ，ｂを避けて表面に通す第三工程と、前記通した風呂敷Ｓの端部ａ，ｂを跨ぐように前記端部を再び端部側の穴３に通し、裏面に出す第四工程から成る。端部ｃ，ｄについても、端部ａ，ｂと同様に、取っ手１００の他端の係止部５の穴２，３に通す。
【００１３】
これにより、風呂敷Ｓが二つ折りの状態で取っ手１００に装着されるので、当該風呂敷Ｓが袋状のバッグの姿態で保持される。この風呂敷Ｓを取っ手に対して引く又は中に入れた荷物の重量で風呂敷Ｓが引かれると、前記第一工程から第三工程で取っ手１００の穴２と穴３の間に巻き付けた風呂敷Ｓの端部a、b又はc、dが巻き締まり、係止部５と風呂敷Ｓとの間の摩擦力が生じると共に、曲げ性のある革、又は樹脂製の取っ手が、引かれた方向に湾曲する。これにより、前記取っ手係止部５と風呂敷が直線状になり、前記第一工程と第二工程で通した風呂敷Ｓの端部ａ，ｂ又はｃ，ｄが、前記第三工程と第四工程で通した風呂敷Ｓの端部ａ，ｂ又はｃ，ｄを押し上げ係止部５の穴３に押し付けることとなり、風呂敷Ｓの最先端部すなわち第三工程と第四工程で通した端部ａ，ｂ又はｃ，ｄが摩擦力により係止部５に係止される。この摩擦力は、風呂敷Ｓの引っ張り力が増大すると比例して増大し、これにより前記取っ手１００の穴２と穴３の間に巻き付けた風呂敷Ｓの端部はより強固に巻き締り、常に引く力よりも摩擦力が大きくなり抜けることなく確実に係止される。
【００１４】
また、図３に示すように、風呂敷Ｓを取っ手の係止部１００に係止した状態で当該風呂敷Ｓがバッグ状になるため、内部に所望の物品を収納可能となる。
【００１５】
以上、本考案に係る取っ手１００によれば、風呂敷等のシート体をバッグ状の姿態に保持できると共に、本体１が薄板短冊形状であるため、軽く、薄く、コンパクトになり、バッグの取っ手として使用する時には使い易く、又、シート体を固定していない状態では、鞄等に収納しやすいものとなる。更に、係止部５は、複数の穴２，３から構成されるので、製造が簡単である。また、取っ手１００を２本使って、1本を風呂敷Ｓの端部ａとｂ、もう1本を同端部ｃとｄに固定すれば、中身の取り出し易い２本取っ手付きの風呂敷バッグを構成することができる（図示省略）。
【００１６】
図４に、取っ手１００の実施例を示す。厚み４．０ｍｍの牛革製で、幅２５ｍｍ、長さ２５０ｍｍ、前記穴２の内径１１ｍｍ（直径）、前記穴３の内径１５ｍｍ（直径）で製作した。その結果、同様なサイズのリング付取っ手に比べ、重量が約１／５、製造コストが約１／３になり、風呂敷も確実に係止できた。取っ手１００の軽さと風呂敷Ｓの軽さとが相まって、軽くてバランスの良い、使い易い風呂敷バッグが実現できた。また、この取っ手を２本使用し、２本の取っ手付風呂敷バッグを作ったところ、バッグの口を大きく開けられる、中身の取り出し易い風呂敷バッグが得られた。
【００１７】
（実施の形態２）
図５は、本発明の実施の形態２に係る取っ手を示す説明図であり、（ａ）は平面図、（ｂ）は側面図、（ｃ）は上面図、（ｄ）はＡ−Ａ断面図、（ｅ）はＢ−Ｂ断面図である。この取っ手２００は、実施の形態１に係る取っ手１００と略同一の構成であるが、係止部２０５の穴２０２，２０３の形状が異なるものである。その他の構成要件は実施の形態１と同じであるので、同一構成要素には同一符号を付して、その説明を省略する。係止部２０５を構成する穴２０２，２０３は、本体１の幅方向に一定間隔を離して且つ略平行して２つ設けられる。各穴２０２，２０３は、長穴であって端部側が細く絞られた形状が好ましい。両端の形状は半円形でも角形でも鋭角な形でも構わない。
【００１８】
図６は、この取っ手の使用方法を示す説明図である。図７は、風呂敷を取っ手に装着した状態を示す説明図である。なお、図６では、取り付け方の手順を説明するため、ひも状の
ものを示す。シート体には風呂敷を示す。図６(ａ)に示すように、矩形の風呂敷Ｓの対向する二辺が重なるように、その中央で二つ折りにし、その状態で風呂敷Ｓの端部ａ，ｂを係止部２０５に固定する。前記係止部２０５への固定は、図６（ｂ）に示すように、対向する隅部a，bを前記係止部２０５のそれぞれの穴２０２，２０３に裏面から通し、表に出す第一工程と、隅部ａ，ｂをもう一つの穴２０３，２０２に互いに交差するように表面から通して、裏面に出す第二工程から成る。第二工程における隅部aは、穴２０３で第一工程で通した隅部ｂの位置よりも最先端側に、第二工程で通す隅部bは穴２０２で、第一工程で通した隅aの位置よりも最先端側に通す。係る係止は、もう一方の係止部２０５においても同様に行う。
【００１９】
これにより、風呂敷Ｓが二つ折りの状態で取っ手２００に装着されるので、当該風呂敷Ｓが袋状のバッグの姿態で保持される。この風呂敷Ｓを取っ手２００に対して引く又は中に入れた荷物の重量で風呂敷Ｓが引かれると、曲げ性のある革や樹脂等で作られた取っ手２００が引かれた方向に湾曲する。これにより、係止部２０５と風呂敷Ｓが略直線状になり、力のベクトルは係止部２０５の長手方向の端側を向く。一方、係止部２０５の穴２０２，２０３に通している風呂敷Ｓの隅部ａ，ｂは、穴２０２には、係止部２０５の端側から前記第二工程で通した隅部ｂ、前記第一工程で通した隅部aの順番で入っており、穴２０３には、係止部２０５の端側から前記第二工程で通した隅部a、前記第一工程で通した隅部ｂの順番で入っている。前記風呂敷Ｓにかかる力のベクトルが係止部２０５の長手方向端側に向いていることから、穴２０２に通している隅部aには端方向に押し付ける力が働き、穴２０２の最先端に通している隅部bを押し付ける。また、穴２０３に通している隅部ｂにも端方向に押し付ける力が働き、穴２０３の最先端に通している隅部ａを押し付ける。この押しつけ力により、隅部ａは隅部ｂの先端を、隅部ｂは隅部ａの先端をそれぞれ穴２０２、穴２０３の先端に押し込み圧縮し、布の穴部分での押し込み圧力による布と係止部２０５間の摩擦力と圧縮による絞り効果による摩擦力増大により、隅部ａ，ｂの先端部分が係止部２０５に係止される。この圧縮力と摩擦力は、風呂敷Ｓを引っ張る力が大きくなるとそれに比例して大きくなるため、係止部２０５の穴２０２，２０３と風呂敷Ｓを常に安定した係止状態とし抜けなくすることができる。更に、穴２０２，２０３の形状を長穴で先端側が細く絞った形状にすることで、前記圧縮による絞り効果を大きくできると共に、この係止方法の基本原理である穴２０２，２０３に通している風呂敷Ｓの隅部ａ，ｂの位置関係を長期安定に保持させる効果がある。
【００２０】
また、図７に示すように、風呂敷Ｓを取っ手２００の係止部２０５に係止した状態で風呂敷Ｓがバッグ状になるため、内部に所望の物品を収納可能となる。
【００２１】
以上、本考案に係る取っ手２００によれば、風呂敷等のシート体の姿態をバッグ状に保持できると共に、本体１が薄板短冊形状であるため、軽く、薄く、コンパクトになり、バッグの取っ手として使用する時には使い易く、又、シート体を固定していない状態では薄くコンパクトになり、鞄等に収納しやすいものとなる。更に、係止部２０５は、複数の穴から構成されるので、製造が簡単である。
【００２２】
図８に、取っ手２００の実施例を示す。厚み４．０ｍｍの牛革製で、幅３０ｍｍ、長さ２３０ｍｍ、前記穴２０２，２０３の幅５ｍｍ、長さ２５ｍｍで製作した。係止部２０５は二つの穴をあけた時の強度を考慮し幅を広くし、中央の持ち手の部分は握るのに最適な幅に設定し製作した。その結果、同様なサイズの金属リング付取っ手に比べ、重量が約１／５、製造コストが約１／３になり、風呂敷も確実に係止でき、長期間テスト使用しても緩むことなく安定して使用できた。風呂敷は軽く携帯に便利な他、荷物の形状にとらわれず自由に包み、その日の気分や服装に合わせて柄を選んだり、サイズを変えたり、何よりも使う人の想像力を楽しむ自由さが魅力であるが、この取っ手２００は、風呂敷の持つ軽さや、自由さ、携帯性を損なうことなく、軽くてバランスの良い風呂敷バッグが実現でき、
人々が身近に広くふろしきを活用することにつながる効果が期待できる。
【００２３】
（実施の形態３）
図９は、本発明の実施の形態３に係る取っ手を示す説明図であり、（ａ）は平面図、（ｂ）は側面図、（ｃ）は上面図、（ｄ）はＡ−Ａ断面図である。この取っ手３００は、実施の形態１に係る取っ手１００と略同一の構成であるが、係止部３０５の穴３０２，３０３の形状が異なるものである。その他の構成要件は実施の形態１と同じであるので、その説明を省略する。係止部３０５を構成する穴３０２，３０３の組は、略円形状の穴を長手方向に分離した、換言すれば２つの半円形状を略円形になるように近接させた形状である。この二つの半円形状の間にスリットバー３０６を設けている。穴３０３の面積は穴３０２の面積よりもやや小さくすることが好ましい、また、取っ手３００の両端に設けられたスリットバー３０６間の距離は包もうとする弁当箱等箱状物Ｈの長さよりも短いことが好ましい。なお、穴３０２，３０３の組の形状は、略四角形状でも略菱形形状でもその他多角形でも、長手方向に分離しスリットバーがあれば形状にとらわれない。
【００２４】
図１０及び図１１は、この取っ手の使用方法を示す説明図である。図１２は、風呂敷を取っ手に装着した状態を示す説明図である。なお、図１０（ｂ）では、取り付け方の手順を説明するため、ひも状のものを示す。シート体には風呂敷Ｓを用いる。四角形の風呂敷Ｓの対向する二辺の端部を係止部に固定する。まず、図１０(ａ)に示すように、弁当箱のような箱状物Ｈを風呂敷Ｓの中央に置いて、図１１に示すように、風呂敷Ｓの対向する二辺の端部ｂ，ｄを箱状物Ｈの上に重ねて包み、且つ、他の二辺の端部ａ，ｃを係止部３０５の裏面から前記中央側の穴３０２に風呂敷Ｓの端部ａ，ｃを通す。次に、図１０（ｂ）に示すように、当該端部ａ，ｃを係止部３０５の表面から端部よりの穴３０３に前記スリットバー３０６を巻き込む形で通し、当該端部ａ，ｃを両側に引くと、図１２に示すように取っ手両端のスリットバー３０６間の距離が箱物状Ｈの長さよりも短く設定されているため、風呂敷Ｓの端部どうしが引き付けられて、箱状物Ｈがしっかり包まれる。
【００２５】
これにより、風呂敷Ｓが取っ手３００に装着され、当該風呂敷Ｓが箱状物Ｈを手提げ包装体の姿態の中で保持する。この風呂敷Ｓを取っ手３００に対して引く又は中に入れた荷物の重量で風呂敷Ｓが引かれると、前記取っ手両端のスリットバー３０６間の距離が箱物状Ｈの長さよりも短いため、力のベクトルは係止部３０５の端の方向を向き、スリットバー３０６に巻き付いている風呂敷Ｓの端部ａ，ｂに巻き締り力が働くと同時に、係止部３０５の端の方向に引かれることにより、革や樹脂などの弾性体で作られている取っ手のスリットバー３０６は、係止部３０５の端の方向に撓み穴３０３に通している風呂敷Ｓの最端部ａ，ｂを押える。これにより係止部３０５と風呂敷Ｓとの間で巻き締りによる摩擦力が生じ、係止部３０５の穴３０２，３０３と風呂敷Ｓとが安定した係止状態となり抜けなくなる。
【００２６】
以上、本発明に係る取っ手３００によれば、風呂敷等のシート体の姿態を取っ手付手提げ包装体状に保持できると共に、本体３０１が薄板短冊形状であるため、シート体を固定していない状態では薄くコンパクトになり、鞄等に収納しやすいものとなる。更に、係止部３０５は、複数の穴から構成されるので、製造が簡単である。
【００２７】
図１３に、取っ手３００の実施例を示す。厚み４．０ｍｍの牛革製で、幅３２ｍｍ、長さ１２０ｍｍ、前記穴３０２，３０３の幅２１ｍｍ、スリットバー３０６の厚み６ｍｍで製作した。係止部３０５は二つの穴をあけた時の強度を考慮し幅を広くし、中央の持ち手の部分は握るのに最適な幅に設定し製作した。その結果、同様なサイズの金属リング付取っ手に比べ、重量が約１／５、製造コストが約１／３になり、弁当箱を包み取っ手を付けると、風呂敷も確実に係止でき、長期間テスト使用しても緩むことなく安定して使用できた。従来弁当箱を包む場合、取っ手３００を付ける位置を結んでいたが、その時結び目が瘤
になり、バッグなどに入れて持ち運ぶのに邪魔になる他、結んだりほどいたりする手間がかかっていたが、取っ手の穴に通すだけで簡単に着脱できる他、接続部が平たくなり、持ちやすく、バッグなどへの収納も簡単になった。また、この取っ手は風呂敷Ｓを安定に装着するための係止部３０５の最適な形状やサイズを決めておけば、外形や模様のデザインは自由に行えることから、図１２（ａ）に示す通り、取っ手に猫のキャラクターのデザインを入れた取っ手も製作してみたら、テーマを決めてデザインを楽しむユニーク且つ魅力的な取っ手ができた。この取っ手３００はランチバッグとして、着脱、持ち運びが簡単便利で、且つ、キャラクターなどのデザインを楽しむ取っ手として、人々が広く活用でき生活を豊かにする効果が期待できる。
【００２８】
上記実施の形態では、風呂敷Ｓをシート体の例として示したが、ビニールシート、ハンカチ、手ぬぐい、タオル、マフラー、ストール等も使用できる。特に、マフラー等の別用途で使用するものでバッグを形成する場合、上記取っ手のみを持ち運べば済む。更に、係止部への係止形態についても、上記図に示したような方法に限定されるものではなく、シート体を袋状に形成して保持し且つその端部が係止できれば、どのような係止方法であっても良い。更に、本体は、革製であるが、合成皮革や短冊形状の型の外装に布を貼着したものであっても良い。
【００２９】
また、収納物に応じてシート体の大きさを変更できる。大きなものを収納する場合には大き目のシート体をバッグ状の姿態に保持する。弁当箱のような小さなものを保持する場合は、小さ目のシート体をバッグ状の姿態に保持する。
【符号の説明】
【００３０】
１００  取っ手
１  本体
２，３  穴
４  把持部
５  係止部
Ｓ  風呂敷
ａ〜ｄ  端部
【図１】
2020146498.tif 000003
【図２】
2020146498.tif 000004
【図３】
2020146498.tif 000005
【図４】
2020146498.tif 000006
【図５】
2020146498.tif 000007
【図６】
2020146498.tif 000008
【図７】
2020146498.tif 000009
【図８】
2020146498.tif 000010
【図９】
2020146498.tif 000011
【図１０】
2020146498.tif 000012
【図１１】
2020146498.tif 000013
【図１２】
2020146498.tif 000014
【図１３】
2020146498.tif 000015